【事件の表示】
　平成９年特許願第１２５３２３号「電子部品接着用ボンドの塗布方法」拒絶査定不服審判事件〔平成１０年１２月４日出願公開、特開平１０−３２２００４、請求項の数（１）〕について、次のとおり審決する。
【結　論】
　原査定を取り消す。
　本願の発明は、特許すべきものとする。
【理　由】
１．手続の経緯・本願発明 
　本願は、平成９年５月１５日の出願であって、その請求項１に係る発明は、明細書の特許請求の範囲の請求項１に記載された次の事項により特定されるとおりのものであると認める。
「内部に貯溜されたボンドを空気圧で加圧することによりノズルから吐出して基板に塗布するシリンジと、シリンジの下方に設けられた基板の位置決め部と、シリンジを基板に対して相対的に水平方向へ移動させる移動テーブルと、塗布されたボンドを光学的に認識してボンドの塗布量を求める認識手段とを備えたボンドの塗布装置による電子部品接着用ボンドの塗布方法であって、使用するボンドの種類やノズルの種類が変わるごとに予め設定された塗布パターンに従ってボンドの試し塗布を行う工程と、試し塗布された各塗布点のボンドを認識手段で光学的に認識してボンドの塗布量を求める工程と、この求められた塗布量のデータと各塗布点の位置データから、シリンジに吐出動作を行わせるための空気圧の加圧を開始するタイミングからシリンジが水平移動してノズルの下端部に吐出されたボンドを基板に塗布するまでの間の吐出遡及時間のパラメータと基板に塗布されるボンドの塗布量との関係を示す塗布条件調整データを作成し、塗布条件調整データ記憶部に記憶させる工程と、各ボンドの塗布点の位置データにより求められる前記吐出遡及時間のパラメータと前記塗布条件調整データに基づいて前記空気圧の加圧時間を調整する工程と、を含むことを特徴とする電子部品接着用ボンドの塗布方法。」（以下、「本願発明」という。）
　
２．原査定の理由の概要
　これに対して、原査定の拒絶の理由の概要は、「本願発明は、本願出願前に頒布された特開平１−２５３２９５号公報（以下、「引用例１」という。）及び特開平４−２４６８８６号公報（以下、「引用例２」という。）に記載された発明に基いて、当業者が容易に発明をすることができたものであるから、特許法第２９条第２項の規定により特許を受けることができない。」というものである。
　
３．引用例の記載事項 
　（１）上記引用例１には、「配線基板上への接着剤塗布方法」に関して、図面第１図〜第６図とともに第３頁左上欄第６行〜左下欄第４行に、
「接着剤塗布ヘッド１が下降する以前にＸＹテーブル５が動作し、プリント基板４上の第１の接着剤塗布点がノズル２の直下に来るようにプリント基板４を位置決めするとともに、接着剤を小径ノズル２内部に圧送して小径ノズル２先端部に微少量吐出させる。この後、接着剤塗布ヘッド１が下降してノズル２の先端をプリント基板４に接触又は極く近接させることにより、プリント基板４上の第１の塗布点に接着剤を塗布し、接着剤塗布ヘッド１は再び上昇する。
　次にプリント基板４上の第２の接着剤塗布点がノズル２の直下に来るようにＸＹ子テーブル５の動作によりプリント基板４を位置決めする。この場合、該第２の接着剤塗布点と前記第１の接着剤塗布点との間の距離が長い場合はＸＹテーブル５によるプリント基板４の位置決め時間が長くなるので、その間、接着剤の圧送を一時停止して接着剤吐出量過多を防止し、該第２の接着剤塗布点に到達する少し前に接着剤の圧送を再開するが、前記第１および第２の接着剤塗布点間の距離が短かく、ＸＹテーブル５によるプリント基板４の位置決め時間が短かくてすむ場合は、接着剤を連続的に圧送吐出させる。そして、該第２の接着剤塗布点をノズル２の直下に持ち来たす上記位置決め動作が完了したとき、塗布ヘッド１を下降させて、該第２の接着剤塗布点に接着剤を塗布する。このようにして第４図（ａ）又は第５図（ａ）のように各電子部品６を仮固定するための複数の点状の接着剤３がプリント基板４上の夫々の電子部品固定部位に塗布される。
　また、一個の電子部品６を仮固定するのに前述のように複数点に接着剤を塗布する代りに、接着剤塗布ヘッド１を下降させたまま接着剤を圧送しつづけながら、同時にＸＹテーブル５によりプリント基板４を移動させることにより、第６図（ａ）の如く直線または曲線状に接着剤３を塗布してもよい（その動作タイミングを第１図中の右側の部分に示す）。」
と記載されている。
　（２）また、上記引用例２には、「塗布装置」に関して、図１〜１４とともに第５頁第７欄第２１行〜第８欄第１５行に、
「【００３５】各ステップに基づき本塗布動作が行なわれて、今度使用するノズル（１６）がＮＯＺＺＬＥ１のノズル（１６）である場合、図７に示す認識データ（ＤＩＳＰＥＮＳＥ　ＲＥＣＯＧＮＩＴＩＯＮ　ＤＡＴＡ）のモード（ＭＯＤＥ）が「１」（即ち、設定塗布回数に達したら塗布量認識を行なう。）であるから、塗布回数カウンタ（４４）が該データ（ＤＩＳＰＥＮＳＥ　ＲＥＣＯＧＮＩＴＩＯＮ　ＤＡＴＡ）に設定された塗布回数（ＤＩＳＰＥＮＳＥ）の１０００回に達していたら、次の１００１回目（但し、１０００回に達したらカウンタ（４４）の内容はクリアされて１回となる。）の本塗布動作前に塗布量補正式算出用試し打ちが行なわれる。このとき、図６に示すロット管理＆認識データ（ＭＡＮＥＧＥＭＥＮＴ　ＤＩＳＰＥＮＳＥ　＆　ＤＩＳＰＥＮＳＥ　ＲＥＣＯＧＮＩＴＩＯＮ　ＤＡＴＡ）内の基板内認識データ（Ｒ）宣言に基づいて、基板内試し打ちステップカウンタ（４０）で示されるステップ（Ｍ−ＮＯ）１２に設定されたプリント基板（１）上の余白部（１Ｄ）のＸ，Ｙ座標位置にシリンジ（１７）に所定加圧時間ＴA（ここでは５０［ｍＳＥＣ］である。）をかけてノズル（１６）より吐出させた接着剤が試し打ちされる。そして、その位置への試し打ちが行なわれたら、Ｘ軸駆動モータ（２）及びＹ軸駆動モータ（３）によりＸＹテーブル（４）を移動させて、プリント基板（１）の試し打ちされた接着剤の位置を認識装置の撮像領域に移動させて、該接着剤の塗布量を認識させる。そして、ＣＰＵ（３０）内の図示しない計算装置で該接着剤の塗布量（塗布面積）を計算する。この計算結果はＲＡＭ（２８）内に記憶されると共に回数カウンタ（３８）の内容を１減算する。該ＮＯＺＺＬＥ１のノズル（１６）は図７に示す回数（ＣＯＵＮＴ）に３回と設定されているため。再び所定加圧時間ＴAで吐出された接着剤の試し打ちが行なわれる。即ち、ステップ（Ｍ−ＮＯ）１３で示されるプリント基板（１）上のＸ，Ｙ座標位置に接着剤が試し打ちされる。次に、その試し打ちされた接着剤の塗布量が認識装置で認識される。その接着剤の塗布面積を前述したようにして計算しＲＡＭ（２８）に記憶すると共に回数カウンタ（３８）の内容を１減算する。更に、同様にしてステップ（Ｍ−ＮＯ）１４に設定された試し打ち位置に試し打ちが行なわれ、計算装置で塗布面積が計算され、その計算結果がＲＡＭ（２８）に記憶されると共に回数カウンタ（３８）の内容が０回となる。そして、前述のＲＡＭ（２８）に記憶された塗布面積の３回の平均塗布面積ＳAを計算し、ＲＡＭ（２８）に記憶する。」
と記載されている。
　
４．当審の判断
　（１）上記引用例１には、本願発明の「内部に貯溜されたボンドを空気圧で加圧することによりノズルから吐出して基板に塗布するシリンジと、シリンジの下方に設けられた基板の位置決め部と、シリンジを基板に対して相対的に水平方向へ移動させる移動テーブルとを備えたボンドの塗布装置による電子部品接着用ボンドの塗布方法」という発明特定事項に実質的に相当する事項が記載されているものと認められる。
　（２）また、上記引用例２には、本願発明の「塗布されたボンドを光学的に認識してボンドの塗布量を求める認識手段を備え、使用するボンドの種類やノズルの種類が変わるごとにボンドの試し塗布を行う工程と、試し塗布された各塗布点のボンドを認識手段で光学的に認識してボンドの塗布量を求める工程とを含むこと」という発明特定事項に実質的に相当する事項が記載されているものと認められる。
　（３）しかしながら、引用例１及び２のいずれにも、本願発明の「この求められた塗布量のデータと各塗布点の位置データから、シリンジに吐出動作を行わせるための空気圧の加圧を開始するタイミングからシリンジが水平移動してノズルの下端部に吐出されたボンドを基板に塗布するまでの間の吐出遡及時間のパラメータと基板に塗布されるボンドの塗布量との関係を示す塗布条件調整データを作成し、塗布条件調整データ記憶部に記憶させる工程と、各ボンドの塗布点の位置データにより求められる前記吐出遡及時間のパラメータと前記塗布条件調整データに基づいて前記空気圧の加圧時間を調整する工程とを含むこと」という発明特定事項は、記載あるいは示唆されているとはいえない。
　（４）そして、本願発明は、上記発明特定事項としたことによって、明細書に記載された「ボンドやノズルの種類を変更しながらボンドの塗布を行う場合でも、塗布タイミングでノズル下端部に付着しているボンドの付着量を一定に保つことができ、加圧バルブの駆動時間を調整するという簡単な方法で塗布量が安定したボンドの塗布が行える。さらに、ノズルからボンドを吐出させた後のボンドの付着量が安定していないボンドの戻り時間中にノズルを基板に着地させてボンドの塗布を行えるため、吐出遡及時間を短縮することができ、したがって各塗布点での塗布動作の時間間隔が短縮され、トータルのタクトタイムを著しく短縮することができる」という格別な作用効果を奏するものと認められる。
　（５）したがって、本願発明は、引用例１及び２に記載された発明に基いて、当業者が容易に発明をすることができたものであるとはいえない。
　
５．むすび 
　以上のとおりであるから、本願については、原査定の拒絶の理由を検討しても、その理由によって拒絶すべきものとすることはできない。
　また、他に本願を拒絶すべき理由を発見しない。
　よって、結論のとおり審決する。